【事件の表示】
　特許第２９９３０１４号「画像処理装置の画質制御方式」の請求項１ないし１３に係る特許に対する特許異議の申立てについて、次のとおり決定する。
【結　論】
　訂正を認める。
　特許第２９９３０１４号の請求項１ないし２に係る特許を維持する。
【理　由】
１．手続の経緯
　特許第２９９３０１４号の請求項１、２に係る発明についての出願は、平成１年８月３０日に特許出願され、平成１１年１０月２２日にその発明について特許権の設定登録がされ、その後、その特許について特許異議申立人東信雄により特許異議の申立てがなされ、取消理由が通知され、その指定期間内である平成１２年１１月２０日に訂正請求（後日取下げ）がなされた後、再度取消理由が通知され、その指定期間内である平成１３年２月１６日に訂正請求がなされたものである。
　
　
２．訂正の適否
（１）訂正の内容
　特許権者が求めている訂正の内容は、以下（ア）〜（ユ）の通りである。
（ア）特許請求の範囲の請求項１〜６、８、１０〜１３を削除する。
（イ）特許請求の範囲の請求項７中の、「混在原稿および写真原稿の画像信号のモードにおいて、」を、「画像信号の雑音や網点成分を除去して高画質の画像信号を得る画像処理装置の画質制御方式において、網点成分を除去し中間調画像の平滑化を行うローパスの平滑用フィル夕と、該平滑用フィルタの出力を変換する平滑用変換テーブルと、高い周波数成分からなるエッジ部を検出するバンドパスのエッジ検出用フィルタと、該エッジ検出用フィルタの出力を変換するエッジ強調用変換テーブルと、平滑用変換テーブルの出力とエッジ強調用変換テーブルの出力とを合成する合成手段と、画像信号のモード毎に各フィルタ及び各変換テーブルのパラメータを変更するパラメータ変更手段とを備え、画像信号のモード毎に各フィルタ及び各変換テーブルのパラメータを変更して画質を制御するようにした画像処理装置の画質制御方式であって、パラメータ変更手段は、文字原稿、写真原稿、印刷原稿、混在原稿の各画像信号のモードが設けられ、該モードに応じてパラメータを変更するものであり、混在原稿および写真原稿の画像信号のモードにおいて、」と訂正し、「請求項２記載の画像処理装置の画質制御方式。」を、「画像処理装置の画質制御方式。」と訂正するとともに、請求項７を請求項１に繰り上げる。
（ウ）特許請求の範囲の請求項９中の、「印刷原稿の画像信号のモードにおいて、」を、「画像信号の雑音や網点成分を除去して高画質の画像信号を得る画像処理装置の画質制御方式において、網点成分を除去し中間調画像の平滑化を行うローパスの平滑用フィルタと、該平滑用フィルタの出力を変換する平滑用変換テーブルと、高い周波数成分からなるエッジ部を検出するバンドパスのエッジ検出用フィルタと、該エッジ検出用フィルタの出力を変換するエッジ強調用変換テーブルと、平滑用変換テーブルの出力とエッジ強調用変換テーブルの出力とを合成する合成手段と、画像信号のモード毎に各フィルタ及び各変換テーブルのパラメータを変更するパラメータ変更手段とを備え、画像信号のモード毎に各フィルタ及び各変換テーブルのパラメータを変更して画質を制御するようにした画像処理装置の画質制御方式であって、パラメータ変更手段は、文字原稿、写真原稿、印刷原稿、混在原稿の各画像信号のモードが設けられ、該モードに応じてパラメータを変更するものであり、印刷原稿の画像信号のモードにおいて、」と訂正し、「請求項２記載の画像処理装置の画質制御方式。」を、「画像処理装置の画質制御方式。」と訂正するとともに、請求項９を請求項２に繰り上げる。
（エ）明細書第２８頁第１４〜１５行の「間引きモアレを除去しきれず、」を「細線のとぎれが生じ、」と訂正し、同頁第１７〜１８行の「また、縮拡時は、不自然なエッジ強調が目立つようになる。」を削除する。
（オ）明細書第２８頁第１９行〜第２９頁第４行の「縮小時のパラメータの変更は、第９図（ａ）に示すように平滑用フィルタを固定し、あるいはカットオフ点を小さくしてエッジ強調用変換テーブルのみ強調度を高める。このようにすると、縮小によりエッジ強調量が弱くなり、細線のとぎれが生じるのを防止することができる。」を「縮小時のパラメータの変更は、第９図（ａ）の左図に示すように平滑用フィルタを固定し、あるいはカットオフ点を小さくすると共に、同図（ａ）の右図に示すようにエッジ強調用変換テーブルの強調度を高める。このようにすることによって、縮小処理によりエッジ強調量が弱くなることによって細線のとぎれが生じるのを防止することができる。」と訂正する。
（カ）明細書第２９頁第５〜１５行の「拡大時のパラメータの変更は、同図（ｂ）に示すように平滑用フィルタのカットオフ点を大きくすると共にエッジ強調用変換テーブルの強調度を弱める。すなわち、平滑用フィルタのＭＴＦを上げることによってボケを目立たなくなるようにする。同時に、拡大と共にエッジ強調が強すぎるようになり不自然な画質となり、画像の周波数成分が変化して網点成分も強調してしまいモアレの発生や粒状性の悪化をもたらしているので、エッジ強調量を弱めることにより、これらの問題を改善することができる。」を「拡大時のパラメータの変更は、同図（ｂ）の左図に示すように平滑用フィルタのカットオフ点を大きくすると共に、同図（ｂ）の右図に示すようにエッジ強調用変換テーブルの強調度を弱める。すなわち、平滑用フィルタのカットオフ点を大きくすることによって平滑用フィルタのＭＴＦを上げ、それによってよってボケを目立たなくなるようにする。同時に、拡大処理により画像の周波数成分が変化して網点成分が強調され、モアレの発生や粒状性の悪化をもたらすことになるので、エッジ強調用変換テーブルの立ち上がり点をずらすと共に、エッジ強調量を弱めることにより、これらの問題を改善することができる。」と訂正する。
（キ）明細書第１４頁第６〜７行の「強調度を下げるように平行にシフトする共に」を「強調度を弱めるとともに」と訂正する。
（ク）明細書第１７頁第１３〜１４行の「非線形平滑用フィルタを示したのが第２図（ａ）であり、」を「第１図のローパスの平滑用フィルタ１と平滑用変換テーブル３とにより構成される非線形平滑用フィルタを等価的に実現した回路が第２図（ａ）であり、」と訂正する。
（ケ）明細書第２１頁第１行の「エッジ強調での目標は、」を「第１図のエッジ検出用フィルタ２とエッジ強調用変換テーブル４とにより構成される非線形エッジ強調用フィルタを等価的に実現した回路が第２図（ｂ）である。エッジ強調での目標は、」と訂正する。
（コ）明細書第１７頁第１５行の「直流成分」を「直流利得」と訂正し、明細書第１８頁第２行、第１９頁下から第３行の「直流分」を「直流利得」と訂正する。
（サ）明細書第１７頁第１６行、第１７頁第１８行の「ａｉｊ’」を「ａｋ，ｌ’」と訂正する。
（シ）明細書第１８頁第４行〜同頁下から第６行の「ここで、…である。」を「すなわち、…である。」と訂正し、数式の右辺の行列式を「０」に訂正する。
（ス）明細書第１９頁第８行の「非線形変換部１２」を「例えばＬＵＴで構成される非線形変換部１２」と訂正する。
（セ）明細書第２０頁第５行の「このとき、」を「｜ｄｍ、ｎ｜≦ｔｈのとき、」と訂正する。
（ソ）明細書第２５頁第５行の「エッジ成分が」を「第７図（ｂ）に示すように、エッジ成分が」と訂正する。
（タ）明細書第２５頁第６行の「平滑処理を」を「第７図（ｃ）に示すように、平滑処理を」と訂正する。
（チ）明細書第１９頁第１２行の「非線形ＭＥフィルタ」を「非線形平滑用フィルタの」と訂正する。
（ツ）明細書第２１頁第４行、第２１頁第５〜６行の「線形エッジ強調用フィルタ１３」を「線形のエッジ検出用フィルタ１３」と訂正する。
（テ）明細書第２５頁第１８行の「平滑用（ＭＥ）フィルタ」を「平滑用フィルタ」と訂正する。
（ト）明細書第２６頁第１〜２行の「エッジ強調（ＵＳＭ）フィルタ」を「エッジ検出用フィルタ」と訂正し、明細書第２６頁第７〜８行、第３０頁第３行の「エッジ強調用フィルタ」を「エッジ検出用フィルタ」と訂正する。
（ナ）明細書第３４頁第１２行、第３８頁第５行の「平滑用フィルタ」を「平滑用フィルタの係数テーブル」と訂正し、明細書第３６頁第１８行の「平滑処理用テーブル」を「平滑用フィルタの係数テーブル」と訂正する。
（ニ）明細書第３４頁第１２〜１３行の「エッジ検出用用フィルタ」を「エッジ検出用フィルタの係数テーブル」と訂正し、明細書第３６頁第１８〜１９行の「エッジ検出用テーブル」を「エッジ検出用フィルタの係数テーブル」と訂正し、明細書第３８頁第５〜６行の「エッジ検出用フィルタ」を「エッジ検出用フィルタの係数テーブル」と訂正する。
（ヌ）明細書第３７頁第２行、第３７頁第８行の「平滑用変調テーブル」を「平滑用変換テーブル」と訂正する。
（ネ）明細書第３７頁第１２〜１３行、第３７頁第１９〜２０行の「エッジ強調用変調テーブル」を「エッジ強調用変換テーブル」と訂正する。
（ノ）明細書第８頁第１３行、第９頁第２行、第９頁第４行、第７２頁第８行の「原稿に対し」を「原稿の画像信号に対し」と訂正する。
（ハ）明細書第１１頁第１０行、第３２頁第１３行、第５２頁第２０行の「原稿のモード」を「原稿の画像信号のモード」と訂正し、明細書第２２頁下から第５行、第３２頁第１６〜１７行の「原稿モード」を「原稿の画像信号のモード」と訂正する。
（ヒ）明細書第２３頁第５行、第２３頁第６行、第２４頁第１０行、第２４頁第１４行の「標準モード」を「混在原稿の画像信号のモード」と訂正する。
（フ）明細書第２３頁第５行の「原稿に適用」を「原稿の画像信号に適用」と訂正する。
（ヘ）明細書第２３頁第１９行、第２４頁第５行、第２４頁第１４行、第２４頁第１７行、第２５頁第２〜３行、第２６頁第８行の「印刷モード」を「印刷原稿の画像信号のモード」と訂正する。
（ホ）明細書第２４頁第４行,第２４頁第１０〜１１行（２箇所）、第２４頁第１９行、第２５頁第６行、第２６頁第１１行の「文字モード」を「文字原稿の画像信号のモード」と訂正する。
（マ）明細書第２４頁第８行、第２４頁第１７行、第２５頁第４行、第３４頁第１行の「写真モード」を「写真原稿の画像信号のモード」と訂正する。
（ミ）明細書第２５頁第２行の「標準（混在）モード」を「混在原稿の画像信号のモード」と訂正する。
（ム）明細書第３３頁第２行,第３３頁第４行,第３３頁第１０行,第３３頁第１８行（２箇所）の「混在モード」を「混在原稿の画像信号のモード」と訂正する。
（メ）明細書第３２頁第１７行の「縮拡」を「縮拡率」と訂正する。
（モ）明細書第５６頁第１行、同頁第２行、同頁第３行、同頁第１２行、同頁第１８行の「補完」を「補間」と訂正する。
（ヤ）明細書第９頁第９〜１９行を削除する。
（ユ）図面の第１図を別紙のとおりに訂正する。
　
（２）訂正の目的の適否、新規事項の有無、及び特許請求の範囲の拡張・変更の存否
　訂正事項（ア）は、請求項の削除であるから、特許請求の範囲の減縮に該当する。
　訂正事項（イ）は、実質的に請求項１に請求項２及び７の構成を付加してさらに限定するものであるから、特許請求の範囲の減縮に該当する。
　訂正事項（ウ）は、実質的に請求項１に請求項２及び９の構成を付加してさらに限定するものであるから、特許請求の範囲の減縮に該当する。
　訂正事項（エ）〜（ユ）は、誤記の訂正もしくは不明りょうな記載の釈明該当する。
　そして、いずれの訂正事項も、新規事項の追加に該当せず、実質的に特許請求の範囲を拡張又は変更するものではない。
　
（３）むすび
　以上のとおりであるから、上記訂正は特許法第１２０条の４第２項及び同条第３項において準用する特許法第１２６条第２及び第３項の規定に適合するので、当該訂正を認める。
　
　
２．特許異議申立てについて
（１）特許異議申立ての概要
　特許異議申立人東信雄は、本件請求項１〜１３に係る各発明は、甲第１号証（特開昭６１−１５７１６２号公報）、甲第２号証（特開平０１−１５１８７８号公報）及び甲第３号証（特開平０１−１０６５７８号公報）に記載された発明に基づいて、その発明の属する技術分野における通常の知識を有する者が容易に発明をすることができたものであるから、特許法第２９条第２項の規定により特許を受けることができないものであり、また、請求項１に係る発明は、特許法第３６条第５項の規定を満たしていないので、取り消されるべきである旨主張している。
　
（２）本件発明
　特許第２９９３０１４号の請求項１、２に係る発明（以下「本件発明１」、「本件発明２」という。）は、訂正明細書の特許請求の範囲の請求項１、２に記載されたとおりの次のものである。
「（１）画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、
　該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　混在原稿および写真原稿の画像信号のモードにおいて、シャープネスを弱める場合には、平滑用フィルタのカットオフ点を小さくすると共にエッジ強調用変換テーブルにおける強調度を弱めるようにし、シャープネスを強める場合には、エッジ強調用変換テーブルにおける強調度を強めるようにすることを特徴とする画像処理装置の画質制御方式。
（２）画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、
　該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　印刷原稿の画像信号のモードにおいて、シャープネスを弱める場合には、平滑用フィルタのカットオフ点を小さくし、シャープネスを強める場合には、エッジ強調用変換テーブルの強調度を強めるようにすることを特徴とする画像処理装置の画質制御方式。」
　
（３）引用刊行物
　取消理由通知にて引用した刊行物は、甲第１〜３号証を含め、以下の刊行物１〜５である。
　刊行物１：特開昭６１−１５７１６２号公報（甲第１号証）
　刊行物２：特開平０１−１５１８７８号公報（甲第２号証）
　刊行物３：特開昭６３−２５０２７４号公報
　刊行物４：特開昭６３−１６６５４４号公報
　刊行物５：特開平０１−１０６５７８号公報（甲第３号証）
　
（４）刊行物に記載された発明
　刊行物１には、「画像信号のエツジ部を検出するエツジ検出手段、前記画像信号を平滑化する平滑化手段、前記画像信号のエツジを強調するエツジ強調手段、前記エツジ検出手段の検出出力により前記平滑化手段又は前記強調手段の出力を混合若しくは選択する手段を有し」（特許請求の範囲）、「即ち〜出来たものである。」（２頁右下欄１７行〜３頁左上欄１行）、「本画像処理装置は、〜スムージング画像との混合比を変えて出力する。」（３頁左上欄７〜１８行）、「画像の〜エツジ強調する。」（４頁右下欄７〜１０行）、「Ｓ２は〜を構成する。」（５頁左上欄３行〜同頁右上欄２行）、「Ｓ３、Ｓ４は〜これが画像処理出力となる。」（５頁左下欄７〜１４行）、「ここで〜変化する。」（６頁右下欄４〜１２行）、「ガンマ変換を〜を示す。」（９頁左下欄１６〜１９行）の記載からみて、「入力画像信号Ｓ１を平滑化する平滑化処理部３、平滑化画像信号Ｓ６と制御信号Ｓ３との算術積を取る掛け算器４、入力画像信号Ｓ１のエツジ強調部３０２、エツジ信号Ｓ１１と制御信号Ｓ４との算術積を取る掛け算器８を備え、掛け算器４において平滑化処理部出力はＳ３によって決定される乗算を行い、掛け算器８においてエツジ強調部出力はＳ４によつて決められた乗算を行い、掛け算器４、８の出力は加算器９によって互いに加算され、これが画像処理出力となる、画像処理装置。」が記載されていると認められる。
　
　刊行物２には、「デジタル画像情報を〜とを有する画像処理装置。」（特許請求の範囲）、「操作部１１１から〜が出力される。」（２頁右下欄１〜６行）、「条件を〜設定することができる。」（４頁左上欄３〜１１行）、「また、〜が得られる。」（４頁右上欄１２〜１８行）、「拡大、〜可能である。」（４頁左下欄８〜１１行）の記載からみて、画像の品質を良くするために、平滑化処理、エッジ強調処理などの画像処理を文字原稿や写真原稿等の原稿の種類に応じて行う発明が記載されていると認められる。
　
  刊行物３には、「画信号を入力され、〜画信号処理装置。」（特許請求の範囲）、「入力画信号は、〜防止できる。」（３頁左下欄８行〜同頁右下欄９行）の記載からみて、画像の品質を良くするために、平滑化処理、エッジ強調処理などの画像処理を文字原稿や写真原稿等の原稿の種類に応じて行う発明が記載されていると認められる。
　
　刊行物４には、「フイルタリング処理を〜画像形成装置。」（特許請求の範囲）、「フイルタリング処理では〜平滑化やエツジ強調を行なう。」（２頁右上欄５〜９行）、「このように、〜画質を変えることができる。」（３頁右上欄２〜４行）、「なお、〜こともできる。」（３頁右上欄５〜９行）の記載からみて、フィルタ等の入力−出力特性を変換するために、ＬＵＴのパラメータを変更する発明が記載されていると認められる。
　
　刊行物５には、「シャープネスパラメータ〜画像処理データの設定方法。」（特許請求の範囲）、「シャープネスパラメータとは〜パラメータである。」（２頁左上欄１２〜１４行）、「シャープネスパラメータは〜変化する。」（２頁左上欄１８行〜同頁右上欄３行）の記載からみて、画像倍率に応じてシャープネスを補正する発明が記載されていると認められる。
　
（５）対比・判断
ア．特許法第３６条について
　特許異議申立人東信雄は、「本件特許発明の目的は、画質を変更することではなく、「画像信号のモードに対して高画質の画像信号を得ること」（第３頁第５欄８〜９行）であるが、請求項１には「いかにして高画質の画像信号を得る」のかについての記述はなく、単に「画質を制御する」との特定しかない。従って、請求項１記載の発明は、特許を受けようとする発明が明確でない」旨主張しているが、本件発明１、本件発明２においては、それぞれ混在原稿及び写真原稿の画像信号のモード、印刷原稿の画像信号のモードにおける画質制御動作が明らかにされており、当該動作により高画質の画像信号を得ることは訂正明細書９頁８行〜１２頁２５行の記載から明らかである。よって、記載不備があるとはいえない。
　なお、特許異議申立人東信雄は、特許法第３６条第５項違反である旨主張しているが、平成２年法律第３０号改正前の特許法第３６条第４項及び第５項の規定について検討した。
　
イ．特許法第２９条第２項について
　本件発明１及び本件発明２と各刊行物に記載された発明とを対比すると、刊行物２、３に記載された発明に、平滑化処理、エッジ強調処理などの画像処理を文字原稿や写真原稿等の原稿の種類に応じて行うことが示されているものの、本件発明１のように「混在原稿および写真原稿の画像信号のモードにおいて、シャープネスを弱める場合には、平滑用フィルタのカットオフ点を小さくすると共にエッジ強調用変換テーブルにおける強調度を弱めるようにし、シャープネスを強める場合には、エッジ強調用変換テーブルにおける強調度を強めるようにする」こと、本件発明２のように「印刷原稿の画像信号のモードにおいて、シャープネスを弱める場合には、平滑用フィルタのカットオフ点を小さくし、シャープネスを強める場合には、エッジ強調用変換テーブルの強調度を強めるようにする」ことは、いずれの刊行物にも記載も示唆もされていない。
　そして、本件発明１及び本件発明２は、上記構成により、訂正明細書９頁８行〜１２頁２５行に記載されているように、シャープネスの強／弱の調整時に、平滑用カットオフ点の調整による作用とエッジ強調用変換テーブルの強調度の調整による作用とを適宜使い分けて、強／弱の方向に応じて最適な調整手法を採用することが可能となるという、各刊行物に記載された発明にはない効果を奏するものである。
　
（６）むすび
　以上のとおりであるから、特許異議申立の理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１３年３月１３日（２００１．３．１３）
【訂正の要旨】
訂正の要旨
訂正事項（ア）〜（ウ）については特許請求の範囲の減縮を目的とし、訂正事項（エ）〜（ユ）については誤記の訂正もしくは不明りょうな記載の釈明を目的として、以下のように訂正する。
　（ア）特許請求の範囲の請求項１〜６、８、１０〜１３を削除する。
　（イ）特許請求の範囲の請求項７中の、
「混在原稿および写真原稿の画像信号のモードにおいて、」を、
「画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、
　該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　混在原稿および写真原稿の画像信号のモードにおいて、」と訂正し、
「請求項２記載の画像処理装置の画質制御方式。」を、
「画像処理装置の画質制御方式。」と訂正するとともに、
　請求項７を請求項１に繰り上げる。
　（ウ）特許請求の範囲の請求項９中の、
「印刷原稿の画像信号のモードにおいて、」を、
「画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、
　該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　印刷原稿の画像信号のモードにおいて、」と訂正し、
「請求項２記載の画像処理装置の画質制御方式。」を、
「画像処理装置の画質制御方式。」と訂正するとともに、
　請求項９を請求項２に繰り上げる。
　（エ）明細書第２８頁第１４〜１５行の「間引きモアレを除去しきれず、」を「細線のとぎれが生じ、」と訂正し、同頁第１７〜１８行の「また、縮拡時は、不自然なエッジ強調が目立つようになる。」を削除する。
　（オ）明細書第２８頁第１９行〜第２９頁第４行の「縮小時のパラメータの変更は、第９図（ａ）に示すように平滑用フィルタを固定し、あるいはカットオフ点を小さくしてエッジ強調用変換テーブルのみ強調度を高める。このようにすると、縮小によりエッジ強調量が弱くなり、細線のとぎれが生じるのを防止することができる。」を「縮小時のパラメータの変更は、第９図（ａ）の左図に示すように平滑用フィルタを固定し、あるいはカットオフ点を小さくすると共に、同図（ａ）の右図に示すようにエッジ強調用変換テーブルの強調度を高める。このようにすることによって、縮小処理によりエッジ強調量が弱くなることによって細線のとぎれが生じるのを防止することができる。」と訂正する。
　（カ）明細書第２９頁第５〜１５行の「拡大時のパラメータの変更は、同図（ｂ）に示すように平滑用フィルタのカットオフ点を大きくすると共にエッジ強調用変換テーブルの強調度を弱める。すなわち、平滑用フィルタのＭＴＦを上げることによってボケを目立たなくなるようにする。同時に、拡大と共にエッジ強調が強すぎるようになり不自然な画質となり、画像の周波数成分が変化して網点成分も強調してしまいモアレの発生や粒状性の悪化をもたらしているので、エッジ強調量を弱めることにより、これらの問題を改善することができる。」を「拡大時のパラメータの変更は、同図（ｂ）の左図に示すように平滑用フィルタのカットオフ点を大きくすると共に、同図（ｂ）の右図に示すようにエッジ強調用変換テーブルの強調度を弱める。すなわち、平滑用フィルタのカットオフ点を大きくすることによって平滑用フィルタのＭＴＦを上げ、それによってよってボケを目立たなくなるようにする。同時に、拡大処理により画像の周波数成分が変化して網点成分が強調され、モアレの発生や粒状性の悪化をもたらすことになるので、エッジ強調用変換テーブルの立ち上がり点をずらすと共に、エッジ強調量を弱めることにより、これらの問題を改善することができる。」と訂正する。
　（キ）明細書第１４頁第６〜７行の「強調度を下げるように平行にシフトする共に」を「強調度を弱めるとともに」と訂正する。
　（ク）明細書第１７頁第１３〜１４行の「非線形平滑用フィルタを示したのが第２図（ａ）であり、」を「第１図のローパスの平滑用フィルタ１と平滑用変換テーブル３とにより構成される非線形平滑用フィルタを等価的に実現した回路が第２図（ａ）であり、」と訂正する。
　（ケ）明細書第２１頁第１行の「エッジ強調での目標は、」を「第１図のエッジ検出用フィルタ２とエッジ強調用変換テーブル４とにより構成される非線形エッジ強調用フィルタを等価的に実現した回路が第２図（ｂ）である。エッジ強調での目標は、」と訂正する。
　（コ）明細書第１７頁第１５行の「直流成分」を「直流利得」と訂正し、明細書第１８頁第２行，第１９頁下から第３行の「直流分」を「直流利得」と訂正する。
　（サ）明細書第１７頁第１６行，第１７頁第１８行の「ａｉｊ」を「ａｋ，ｌ’」と訂正する。
　（シ）明細書第１８頁第４行〜同頁下から第６行の「ここで、・・・である。を下記のとおりに訂正する。
「　すなわち、
である。」と訂正する。
　（ス）明細書第１９頁第８行の「非線形変換部１２」を「例えばＬＵＴで構成される非線形変換部１２」と訂正する。
　（セ）明細書第２０頁第５行の「このとき、」を「｜ｄｍ，ｎ｜≦ｔｈのとき、」と訂正する。
　（ソ）明細書第２５頁第５行の「エッジ成分が」を「第７図（ｂ）に示すように、エッジ成分が」と訂正する。
　（タ）明細書第２５頁第６行の「平滑処理を」を「第７図（ｃ）に示すように、平滑処理を」と訂正する。
　（チ）明細書第１９頁第１２行の「非線形ＭＥフィルタ」を「非線形平滑用フィルタの」と訂正する。
　（ツ）明細書第２１頁第４行，第２１頁第５〜６行の「線形エッジ強調用フィルタ１３」を「線形のエッジ検出用フィルタ１３」と訂正する。
　（テ）明細書第２５頁第１８行の「平滑用（ＭＥ）フィルタ」を「平滑用フィルタ」と訂正する。
　（ト）明細書第２６頁第１〜２行の「エッジ強調（ＵＳＭ）フィルタ」を「エッジ検出用フィルタ」と訂正し、明細書第２６頁第７〜８行，第３０頁第３行の「エッジ強調用フィルタ」を「エッジ検出用フィルタ」と訂正する。
　（ナ）明細書第３４頁第１２行，第３８頁第５行の「平滑用フィルタ」を「平滑用フィルタの係数テーブル」と訂正し、明細書第３６頁第１８行の「平滑処理用テーブル」を「平滑用フィルタの係数テーブル」と訂正する。
　（ニ）明細書第３４頁第１２〜１３行の「エッジ検出用用フィルタ」を「エッジ検出用フィルタの係数テーブル」と訂正し、明細書第３６頁第１８〜１９行の「エッジ検出用テーブル」を「エッジ検出用フィルタの係数テーブル」と訂正し、明細書第３８頁第５〜６行の「エッジ検出用フィルタ」を「エッジ検出用フィルタの係数テーブル」と訂正する。
　（ヌ）明細書第３７頁第２行，第３７頁第８行の「平滑用変調テーブル」を「平滑用変換テーブル」と訂正する。
　（ネ）明細書第３７頁第１２〜１３行，第３７頁第１９〜２０行の「エッジ強調用変調テーブル」を「エッジ強調用変換テーブル」と訂正する。
　（ノ）明細書第８頁第１３行，第９頁第２行，第９頁第４行，第７２頁第８行の「原稿に対し」を「原稿の画像信号に対し」と訂正する。
　（ハ）明細書第１１頁第１０行，第３２頁第１３行，第５２頁第２０行の「原稿のモード」を「原稿の画像信号のモード」と訂正し、明細書第２２頁下から第５行，第３２頁第１６〜１７行の「原稿モード」を「原稿の画像信号のモード」と訂正する。
　（ヒ）明細書第２３頁第５行，第２３頁第６行，第２４頁第１０行，第２４頁第１４行の「標準モード」を「混在原稿の画像信号のモード」と訂正する。
　（フ）明細書第２３頁第５行の「原稿に適用」を「原稿の画像信号に適用」と訂正する。
　（へ）明細書第２３頁第１９行，第２４頁第５行，第２４頁第１４行，第２４頁第１７行，第２５頁第２〜３行，第２６頁第８行の「印刷モード」を「印刷原稿の画像信号のモード」と訂正する。
　（ホ）明細書第２４頁第４行，第２４頁第１０〜１１行（２箇所），第２４頁第１９行，第２５頁第６行，第２６頁第１１行の「文字モード」を「文字原稿の画像信号のモード」と訂正する。
　（マ）明細書第２４頁第８行，第２４頁第１７行，第２５頁第４行，第３４頁第１行の「写真モード」を「写真原稿の画像信号のモード」と訂正する。
　（ミ）明細書第２５頁第２行の「標準（混在）モード」を「混在原稿の画像信号のモード」と訂正する。
　（ム）明細書第３３頁第２行，第３３頁第４行，第３３頁第１０行，第３３頁第１８行（２箇所）の「混在モード」を「混在原稿の画像信号のモード」と訂正する。
　（メ）明細書第３２頁第１７行の「縮拡」を「縮拡率」と訂正する。
　（モ）明細書第５６頁第１行，同頁第２行，同頁第３行，同頁第１２行，同頁第１８行の「補完」を「補間」と訂正する。
　（ヤ）明細書第９頁第９〜１９行を削除する。
　（ユ）図面の第１図を別紙のとおりに訂正する。
（５４）【発明の名称】
画像処理装置の画質制御方式
（５７）【特許請求の範囲】
（１）画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、
　該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　混在原稿および写真原稿の画像信号のモードにおいて、シャープネスを弱める場合には、平滑用フィルタのカットオフ点を小さくすると共にエッジ強調用変換テーブルにおける強調度を弱めるようにし、シャープネスを強める場合には、エッジ強調用変換テーブルにおける強調度を強めるようにすることを特徴とする画像処理装置の画質制御方式。
（２）画像信号の雑音や網点成分を除去して高画質の画像信号を得る画像処理装置の画質制御方式において、
　網点成分を除去し中間調画像の平滑化を行うローパスの平滑用フィルタと、
　該平滑用フィルタの出力を変換する平滑用変換テーブルと、
　高い周波数成分からなるエッジ部を検出するバンドパスのエッジ検出用フィルタと、該エッジ検出用フィルタの出力を変換するエッジ強調用変換テーブルと、
　平滑用変換テーブルの出力とエッジ強調用変換テーブルの出力とを合成する合成手段と、
　画像信号のモード毎に各フィルタ及び各変換テーブルのパラメータを変更するパラメータ変更手段とを備え、
　画像信号のモード毎に各フィルタ及び各変換テーブルのパラメータを変更して画質を制御するようにした画像処理装置の画質制御方式であって、
　パラメータ変更手段は、文字原稿、写真原稿、印刷原稿、混在原稿の各画像信号のモードが設けられ、該モードに応じてパラメータを変更するものであり、
　印刷原稿の画像信号のモードにおいて、シャープネスを弱める場合には、平滑用フィルタのカットオフ点を小さくし、シャープネスを強める場合には、エッジ強調用変換テーブルの強調度を強めるようにすることを特徴とする画像処理装置の画質制御方式。
【発明の詳細な説明】
〔産業上の利用分野〕
　本発明は、カラー複写機やカラープリンタその他の画像を形成出力する装置に関し、特に原稿を読み取った画像信号の雑音や網点成分を除去し高画質の画像信号を得る画像処理装置の画質制御方式に関する。
〔従来の技術〕
　カラー複写機やカラーレーザプリンタのようなデジタルカラー画像形成装置は、フルカラーの場合で、Ｙ（イエロー）、Ｍ（マゼンダ）、Ｃ（シアン）、Ｋ（ブラック）からなる４色のトナーを搭載し、それぞれのカラートナー像を現像し重ねることによりカラー画像を再現している。つまり、４回のコピープロセスを実行することにより初めてフルカラーのコピー複写が完了することになる。従って、プラテン上に載置された原稿を読み取ってカラー複写するには、まず、原稿を光学的に読み取ってその読み取り信号を各トナーの現像信号に変換している。
　一般に原稿には、文字原稿、写真原稿、印刷原稿、そしてこれらの混在原稿に分類できる。写真や絵のような中間調画像は、その精細度や階調性の再現性を高め、中間調としての滑らかな画像を再現するため画像信号について雑音や網点成分の除去等の平滑処理が必要となる。しかし、このような中間調画像の再現と同じ処理を文字原稿のような２値画像の再現に適用すると、逆にエッジ部がボケてしまう。つまり、文字原稿のような２値画像ではエッジを強調し、精鋭度を高める処理が必要である。そこで、写真原稿も文字原稿もそれなりに再現されるように雑音や網点成分の除去等の平滑処理とエッジの強調処理との整合を図り、文字原稿の画像がボケないようにある程度のエッジ強調を行いながら、写真原稿等の中間調画像の再現性もよくするように画像信号の調整が行うことが必要である。
〔発明が解決しようとする課題〕
　しかしながら、上記のように文字原稿、写真原稿、印刷原稿、混在原稿の画像信号に対してそれなりに再現されるように雑音や網点成分の除去等の平滑処理とエッジの強調処理を行うようにしても、全体としては一応の画質のものが得られるが、例えば写真原稿、文字原稿の個々に観ると、写真原稿では、エッジがやや強調されたザラザラした画像となったり、文字原稿では、エッジ部がボケたりし、いずれの画像も充分に満足する画質のものを得ることは難しいという問題がある。文字、写真、印刷の原稿の画像信号に対しては、それぞれに最適な平滑化処理とエッジ強調処理があり、別々のパラメータが必要になる。また、各原稿の画像信号に対し、それなりの再現ができる同一のパラメータを設定することはできるが、この場合には、各原稿に良好な再現性が得られるようにバランスをとるのが難しいという問題がある。
　本発明は、上記の課題を解決するものであって、その目的は、写真原稿や文字原稿印刷原稿、これらの混在原稿の画像信号のモードに対して高画質の画像信号を得ることである。本発明の他の目的は、各画像信号のモードに対して平滑処理およびエッジ強調処理の最適パラメータを設定することである。本発明の他の目的は、シャープネスの調整が容易に行えるようにすることである。本発明の他の目的は、縮拡処理による画質の劣化を防止することである。
〔課題を解決するための手段および作用〕
　そのために本発明は、第１図に示すように画像信号の雑音や網点成分を除去して高画質の画像信号を得る画像処理装置の画質制御方式において、網点成分を除去し中間調画像の平滑化を行うローパスの平滑用フィルタ１、該平滑用フィルタの出力を変換する平滑用変換テーブル３、高い周波数成分からなるエッジ部を検出するハイパスのエッジ検出用フィルタ２、該エッジ検出用フィルタの出力を変換するエッジ強調用変換テーブル４を備え、画像信号毎に各フィルタおよび各変換テーブルのパラメータを変更してこれらにより平滑処理およびエッジ強調処理を行った信号を合成回路５で合成することにより画質を制御するようにしたことを特徴とする。そして、標準設定では、平滑用フィルタおよびエッジ検出用フィルタは、空間周波数で１３３線近傍がカットオフ点になるようにパラメータを設定すると共に、標準設定である混在モードに加え文字、写真、印刷の原稿をよりょく再現するための原稿対応モードを設定し、文字原稿、写真原稿、印刷原稿、混在原稿の画像信号のモードに応じてパラメータを変更して領域信号により切り換えることを特徴とする。
　上記により文字原稿、写真原稿、印刷原稿、混在原稿の画像信号のモードに応じてそれぞれに最適なパラメータを設定し、切り換えるので、平滑処理およびエッジ強調処理が適切に行われ、文字原稿についてはエッジが強調された鮮鋭度の高い２値画像を再現することができ、写真原稿についてはエッジが目立つことなく精細度の高い滑らかな中間調画像を再現することができる。
　エッジ強調用変換テーブルは、混在原稿の画像信号のモードでは、カットオフ点を最大値の０．２４、最大値に対する変換値を最大値の０．７１、変換カーブの漸近線の交点を被変換値が最大値の０．４７で変換値が最大値の０．６３の近傍に設定し、マイナス側のパラメータをプラス側のパラメータの１／２乃至１／３に設定したことを特徴とする。そして、文字原稿の画像信号のモードでは、混在原稿の画像信号のモードよりも強めにし、写真原稿の画像信号のモードでは、混在原稿の画像信号のモードと文字原稿の画像信号のモードとの中間にし、印刷原稿の画像信号のモードでは、混在原稿の画像信号のモードよりも弱めにすることによって、各画像信号のモードに応じたエッジ強調用パラメータを設定する。
　また、平滑用変換テーブルは、文字原稿の画像信号のモードでカットし、写集原稿の画像信号のモードで低域側のみ変換し、印刷原稿および混在原稿の画像信号のモードでスルーにすることによって、各画像信号のモードに応じた平滑用パラメータを設定する。
　混在原稿および写真原稿の画像信号のモードにおいて、シャープネスを弱める場合には、平滑用フィルタのカットオフ点を小さくすると共にエッジ強調用変換テーブルにおける強調度を弱めるようにし、シャープネスを強める場合には、エッジ強調用変換テーブルにおける強調度を強めるようにすることを特徴とする。文字原稿の画像信号のモードにおいて、シャープネスを調整する場合には、エッジ強調用変換テーブルの強調度をシャープネスの強弱に応じて変えるようにすることを特徴とする。印刷原稿の画像信号のモードにおいて、シャープネスを弱める場合には、平滑用フィルタのカットオフ点を小さくし、シャープネスを強める場合には、エッジ強調用変換テーブルの強調度を強めるようにすることを特徴とする。このようにシャープネスもパラメータを各画像信号のモードに応じて変えることによってそれぞれの原稿対応モードでのシャープネスがきめこまかに調整できる。
　縮拡処理モードでは、縮拡率に応じて平滑用フィルタとエッジ強調用変換テーブルのパラメータを変更する。そして、画像信号の縮小処理モードの場合には、エッジ強調用変換テーブルの強調度を上げ、画像信号の拡大処理モードの場合には、エッジ強調用変換テーブルの強調度を弱めるとともに平滑用フィルタのカットオフ点を大きくすることを特徴とする。また、段階的にパラメータを変更し、定形倍率の中間でパラメータを変更することを特徴とする。このようにすることによって拡大時のボケや縮小時のモアレを除去することができる。
　さらに、原稿の画像信号のモードとシャープネスと縮拡率に連動してパラメータを変更することによって、各原稿対応モードにおける縮拡処理でも画質の劣化を防止し、さらにシャープネスの調整も行えるようにする。
〔実施例〕
　以下、図面を参照しつつ実施例を説明する。
　この実施例では、カラー複写機を画像処理装置の１例として説明するが、これに限定されるものではなく、プリンタやファクシミリ、その他の画像処理装置にも適用できることは勿論である。
　まず、実施例の説明に先立って目次を示す。
（Ｉ）画質制御回路の構成
　（Ｉ−１）非線形平滑用フィルタ
　（Ｉ−２）非線形エッジ強調用フィルタ
　（Ｉ−３）原稿モードによるパラメータの設定
　（Ｉ−４）シャープネスによるパラメータの変更
　（Ｉ−５）縮拡によるパラメータの変更
　（Ｉ−６）パラメータの自動設定
（ＩＩ）パラメータの設定処理
（ＩＩＩ）イメージ入カシステム（ＩＰＳ）
　（ＩＩＩ−１）ＩＰＳのモジュール構成
　（ＩＩＩ−２）ＩＰＳのハードウェア構成
（Ｉ）画質制御回路の構成
　従来の線形フィルタで雑音や網点成分を除去しようとすると、原稿中の文字等のエッジ部分も損なわれ、コピーとして満足できる画質を得ることはできない。そこで、エッジ部分を損なうことなしに雑音や網点成分を除去するためには、非線形フィルタを用いることが必要になる。このような画像信号に対する非線形フィルタとして、種々のものが提案されており、主に以下のように大別される。
▲１▼　非線形関数の級数展開に基づくもの
▲２▼　無記憶形非線形変換と線形フィルタの組み合わせによるもの
▲３▼　フィルタ係数の非線形制御によるもの
▲４▼　区分的に線形フィルタ係数をもつもの
▲５▼　フィルタ窓内の信号値を並べ換えて処理するもの
▲６▼　信号の閾値分解に基づくもの
　デジタルカラー複写機において、各種入力画像を忠実に再現するためには、一方では、雑音やモアレの発生原因となる網点部分を除去し、他方では、文字等のエッジ部をよりシャープにして出力することが要求される。これを非線形フィルタで実現するためには、以下の２つの要素が必要になる。
▲１▼　エッジ部を保存しつつ雑音、網点成分を除去するフィルタ（非線形平滑用フィルタ）
▲２▼　雑音を強調せず、エッジ部のみを強調するフィルタ（非線形エッジ強調用フィルタ）
　第２図は２つのフィルタ（いずれも非線形フィルタで構成されるもの）の概略構成を示す図、第３図は非線形平滑用フィルタの周波数特性を説明するための図、第４図はエッジ強調用フィルタを説明するための図、第５図はエッジ強調用非線形変換を説明するための図である。
（Ｉ−１）非線形平滑用フィルタ
　第１図のローパスの平滑用フィルタ１と平滑用変換テーブル３とにより構成される非線形平滑用フィルタを等価的に実現した回路が第２図（ａ）であり、２次元の線形平滑用フィルタ１１のタップ数を（Ｎ＋１）×（Ｎ＋１）としたとき、直流利得が１の低域通過フィルタの係数ａｋ，ｌ’は次のように表される。
　なお、通常のフィルタにおいてＮは偶数となっている。このとき線形平滑用フィルタ１１で用いる係数ａｋ，ｌは、ａｋ，ｌ’の中心の係数から１を引いた直流利得０の係数として与えられる。
　すなわち、
である。これより線形平滑用フィルタ１１の出力ｄｍ，ｎは、次式で表される。
このときａｋ，ｌで表されるフィルタの周波数特性は、例えばａｋ，ｌ’の特性が第３図（ａ）に示すような低域通過型フィルタのとき、同図（ｂ）に示すような通過域のゲインがほぼ１で位相が反転している高域通過型フィルタとなる。
　したがって、画像の平坦な部分や周波数のあまり高くないところの雑音については、小さな値を示し、エッジ等については高い値を示す。つまり、一般的には、エッジ部、網点部、平坦部の順に低い値となる。
　そこで、この出力に対して例えばＬＵＴで構成される非線形変換部１２により関数Ｆ（ｄ）を導入することを考える。Ｆ（ｄ）は例えば次のように設定される。
　したがって、非線形平滑用フィルタの出力ｙｍ，ｎは、以下のように表される。
　ここで、直流利得１のときの低域通過型フィルタａｋ，ｌ’の出力ｙｍ，ｎ’は、次の式となる。
　これより上記ｙｍ，ｎ’の式は、ｙｍ，ｎの式における｜ｄｍ，ｎ｜≦ｔｈの場合に等しい。すなわち、｜ｄｍ，ｎ｜≦ｔｈのとき、非線形平滑用フィルタの出力ｙｍ，ｎは、線形低域通過型フィルタを適用したものとなり、｜ｄｍ，ｎ｜＞ｔｈのとき、入力信号Ｘｍ，ｎがそのまま出力されることがわかる。
　したがって、ここで用いた閾値ｔｈをエッジ部分とその他の部分とが分離できるところに設定すれば、エッジを保存したままその他の部分のみを平滑化処理できることになる。
　上記のように非線形平滑用フィルタにより網点成分を取り除き、また、場合によっては、エッジ成分も保存できるが、これだけでは、フィルタ処理後のディザ処理によるエッジ劣化による文字再現不良は解決できない。そのために、逆にエッジを強調させることが必要となる。
（Ｉ−２）非線形エッジ強調用フィルタ
　第１図のエッジ検出用フィルタ２とエッジ強調用変換テーブル４とにより構成される非線形エッジ強調用フィルタを等価的に実現した回路が第２図（ｂ）である。エッジ強調での目標は、高域の雑音や網点成分に左右されずに文字等のエッジ部分を抽出し強調してやることであり、主に第２図（ｂ）に示すように線形のエッジ検出用フィルタ１３と非線形変換部１４の２要素より構成されている。線形のエッジ検出用フィルタ１３は、例えば第４図に示すような特性のものを用いる。エッジ検出用フィルタ１３の特性は、同図から判るように帯域通過型（バンドパス）フィルタのものであり、入力として想定される１３３線（５．２ｌｐｓ／ｍｍ）〜２００線（７．９ｌｐｓ／ｍｍ）の網点原稿の成分を除くエッジ成分を検出できるように設定される。
　この出力値をそのまま用いると、雑音成分も若干含まれるため、非線形平滑用フィルタのときと同様に例えばＬＵＴで構成される非線形変換部１４で非線形変換し、雑音成分を除去してエッジ部を強調するための信号を取り出す。
　このとき第２図（ｂ）に示す非線形エッジ強調用フィルタの出力Ｚｍ，ｎは、次の式で表される。
　ここで、ｅｍ，ｎはエッジ検出用フィルタ１３の出力、また、ｂｋ，ｌはエッジ検出用フィルタ１３の係数であり、
である。非線形変換部１４の変換関数ｆｅは、雑音や網点成分の値が小さいことを想定して、第５図に示すように閾値ε１、ε２を設け、この間の範囲を雑音の帯域と認識して出力を０にし、それ以外（強調帯域）をエッジ成分として強調するように設定される。
　以上の非線形平滑用フィルタと非線形エッジ強調用フィルタの２種を合成することで第１図に示すようなデジタルカラー複写機において要求されるフィルタを構成することができる。
（Ｉ−３）原稿の画像信号のモードによるパラメータの設定
　第６図はエッジ強調用非線形変換部の変換特性を説明するための図、第７図は平滑用非線形変換部の変換特性を説明するための図である。
　エッジ強調用非線形変換を行うエッジ強調用変換テーブル（ＬＵＴ）の変換特性は、立ち上がり点の値、ｘ（被変換値）の最大値に対するｙ（変換値）、漸近線の交点の値、ｘ方向の漸近線との接点の値等により設定することができる。まず、混在原稿の画像信号のモードを写真・印刷・文字の混在原稿の画像信号に適用するものとすると、この混在原稿の画像信号のモードにおける正の方向の変換特性は、２５５階調で第６図に示すように立ち上がり点の値ｘ０を６０±２０（最大値２５５の０．２４近傍）、ｘの最大値ｘ３＝２５５に対するｙの値ｙ３を１８０±２０（最大値２５５の０．７１近傍）、漸近線の交点の値ｘ２、ｙ２を１２０±２０（最大値２５５の０．４７近傍）、１６０±２０（最大値２５５の０．６３近傍）、また、漸近線との接点のｘ方向の値ｘ１を１００±２０（最大値２５５の０．３９近傍）に設定し、負の方向の場合には、これらの１／２〜１／４の範囲内に設定したときに全体として良好な画像を再現することができる。
　これに対して印刷原稿の画像信号のモードの場合には、網点を拾ったり強調度を強くするとざらざらした感じの画像になってしまうので、これを避けるために例えばｘ０を≧８０、ｙ３を≦１６０程度に全体として図示右方にシフトして強調度を弱めにした内容とする。しかし、文字原稿の画像信号のモードの場合には、エッジを強調しシャープにするため、印刷原稿の画像信号のモードの場合とは逆に例えばｘ０を≦４０、ｙ３を≧２００程度に全体として図示左方にシフトて強調度を強めにした内容とする。そして、写真原稿の画像信号のモードの場合には、ボケず精細度の高くするにはある程度のエッジ強調が必要であるので、混在原稿の画像信号のモードと文字原稿の画像信号のモードとの中間にあってむしろ文字原稿の画像信号のモードに近い内容の設定とすると、それぞれのモードで高い精細度での画像を再現することができる。
　すなわち、混在原稿の画像信号のモードに対して印刷原稿の画像信号のモードは、立ち上がり点が右にずれ、強調度も弱くなるので、あまりエッジを検出せず粒状性にも影響を与えないようになる。写真原稿の画像信号のモードは、印刷原稿の画像信号のモードに比較して立ち上がり点が左にシフトし強調度も強くなり、文字原稿の画像信号のモードはさらに立ち上がり点が左にシフトするのでこの傾向が高くなる。
　平滑用非線形変換を行う平滑用変換テーブルの変換特性は、混在原稿の画像信号のモードおよび印刷原稿の画像信号のモードの場合には、第７図（ａ）に示すように平滑用フィルタの出力をそのまま出力するが、写真原稿の画像信号のモードの場合には、第７図（ｂ）に示すようにエッジ成分がなまらないようにカットする。また、文字原稿の画像信号のモードの場合には、第７図（ｃ）に示すように平滑処理をカットしてしまうことによって、エッジ成分のなまりをなくす。
（Ｉ−４）シャープネスによるパラメータの変更
　第８図はシャープネスモードにおけるパラメータの変更を説明するための図である。
　シャープネスモードは、鮮鋭度を変化させる調整機能であり、正負の方向にそれぞれ段階的に変化させるようにパラメータを変更する。シャープネス０のパラメータに対して、第８図に示すようにプラス側では、エッジ強調用変換テーブル（ＬＵＴ）による強調度を強くする。この際、網点成分除去のための平滑用フィルタは変更しない。これは、シャープネス・プラス側においても、モアレを発生させないためである。また、エッジ強調量は、パラメータを適切に選んでエッジ検出用フィルタは固定し、エッジ強調用変換テーブル（ＬＵＴ）のみで行うようにする。この傾向は、いずれのモードに対しても同じである。逆にマイナス側では、エッジ強調用変換テーブルの強調度を弱くし、さらに平滑用フィルタのカットオフ点を小さくする。エッジ検出用フィルタは固定のままとする。なお、印刷原稿の画像信号のモードでは、先に説明したようにエッジ強調用変換テーブルの強調度をもともと弱くしているので、そのままにしてもよい。また、文字原稿の画像信号のモードでは、平滑用フィルタをかけないため、シャープネス調整は、エッジ強調用変換テーブル（ＬＵＴ）のみで行う。
　シャープネスモードの調整において、例えば平滑用フィルタのカットオフ点を大きい方へ変化させると、プラス側では、細部ボケが改善され、シャープなイメージになってくるが、モアレが発生する。このため、シャープネス・プラス側調整を平滑用フィルタのカットオフ点の変更により行うのは好ましくない。一方、シャープネス・マイナス側を平滑用フィルタのカットオフ点の変更のみで行うと、エッジ強調が強い場合、平滑化画像の上に強いエッジが現れ、画像が不自然となり好ましくない。上記のようなエッジ強調用変換テーブルと平滑用フィルタの調整は、微調整を容易にしシャープなイメージを実現することができる。
　上記エッジ強調用変換テーブルの変更方法によると、エッジ強調用変換テーブルは、ある制限された閾値内の変更下で行う必要がある。プラス側では或る閾値を越えると高濃度側でスポットエッジが現れ、シャープネス・マイナス側では或る閾値以下になると濃度不足となる。エッジ強調用変換テーブルの変更方法としては、上記の方法とは逆に最大値側を固定してカットオフ点を移動させる方法があるが、この場合には、プラス側でざらついた感じが現れ、スポットノイズが発生してくる。そして、或る閾値以下になると、網点戊分も強調するようになりモアレが発生する。また、マイナス側で高エッジ量領域のみの強調された不自然な画質となる。その他、平行移動させる方法もあるが、この方法は、上記２つの方法の複合効果が現れる。いずれの方法であれ、テーブルの変更は、画質にデフェクトがでない範囲で行う必要がある。その範囲内であれば、２つの方法を組み合わせることも考えられ、例えばシャープネス・プラス側の強い方は、平行移動させる方法を採用してもよい。
（Ｉ−５）縮拡によるパラメータの変更
　第９図は縮拡によるパラメータの変更方法を説明するための図、第１０図はパラメータの変更カーブの例を示す図である。
　先に述べたように縮拡処理を行った場合、１００％の縮拡率での画質に対してそのままのパラメータを使用すると、縮小時には細線のとぎれが生じ、拡大時には１００％で気にならないレベルの細部ぼけが拡大されて目立つようになる。
　そこで、縮小時のパラメータの変更は、第９図（ａ）の左図に示すように平滑用フィルタを固定し、あるいはカットオフ点を小さくすると共に、同図（ａ）の右図に示すようにエッジ強調用変換テーブルの強調度を高める。このようにすることによって、縮小処理によりエッジ強調量が弱くなることによって細線のとぎれが生じるのを防止することができる。
　また、拡大時のパラメータの変更は、同図（ｂ）の左図に示すように平滑用フィルタのカットオフ点を大きくすると共に、同図（ｂ）の右図に示すようにエッジ強調用変換テーブルの強調度を弱める。すなわち、平滑用フィルタのカットオフ点を大きくすることによって平滑用フィルタのＭＴＦを上げ、それによってよってボケを目立たなくなるようにする。同時に、拡大処理により画像の周波数成分が変化して網点成分が強調され、モアレの発生や粒状性の悪化をもたらすことになるので、エッジ強調用変換テーブルの立ち上がり点をずらすと共に、エッジ強調量を弱めることにより、これらの問題を改善することができる。
　なお、４（ｌｐｓ／ｍｍ）の空間周波数における平滑用フィルタのＭＴＦと縮拡率との関係を示したのが第１０図であり、縮拡率に応じて第１０図に示すようにＭＴＦが変化するように平滑用フィルタのパラメータを調整してもよいし、所定の曲線で変化するものでもよい。縮拡率に伴うエッジ強調量の調整では、網点成分を検出することなくエッジ成分のみ検出するようにエッジ検出用フィルタにおけるエッジ検出バンド幅を変えるようにしてもよい。また、第１０図に示すように縮拡率に応じて連続的にパラメータを変更すると、用意すべきパラメータの種類が多くなるという問題がある。そこで、縮拡率５０〜４００％の範囲を分割し、その分割単位でパラメータを段階的に変更するようにしてもよいことは勿論である。この場合、使用頻度の高い定形倍率の両側、すなわち定形倍率の中間で分割すると、ＡサイズからＢサイズ或いは同サイズ同士での縮拡のような定形倍率（７０％、８１％、８６％、１１５％、１２２％、１４１％）の近傍で縮拡率を調整した場合にも画質の変化が大きくなるのを回避することができる。この切り換え倍率として、例えば６７％、７７％、１３３％、１５３％、１７７％、２０７％、２３３％、２６７％を設定すると、１００％のパラメータは、７８％〜１３２％までの縮拡率で使用されることになる。
　縮拡処理との関係では、平滑処理およびエッジ強調処理を行う位置として、縮拡処理を行った後の場合と、逆に縮拡処理を行う前の場合がある。前者の場合には、拡大時にもボケが生じずよい画質が得られるが、ハードウェア規模が大きくなる。逆に後者の場合には、ハードウェア規模を小さくすることができるが、拡大時にボケが生じる。しかし、この拡大時のボケは上記のような平滑用フィルタにおけるカットオフ点の変更を行えば改善することができる。また、平滑処理およびエッジ強調処理の前後で縮拡処理を行うように構成しても、また、縮拡処理の前後で平滑処理およびエッジ強調処理を行うようにしてもよいが、いずれにしても、それぞれの組み合わせによってパラメータの設定内容も変化することは勿論である。
　また、原稿の読み取りにラインセンサを使っている場合、主走査方向では、ラインセンサの読み取り信号に対して縮拡率に応じた縮小／拡大の処理を行うが、副走査方向では、走査速度を変えて読み取り密度を制御している。したがって、主走査方向成分と副走査方向成分でフィルタ処理される空間周波数が異なってくることにより、例えば主走査方向の線間はボケても副走査方向の線間はあまりボケないという場合もあるので、このような場合には、主走査方向成分と副走査方向成分での改善効果の度合に対応したパラメータの設定を行えばよい。
（Ｉ−６）パラメータの自動設定
　第１１図はパラメータの自動設定法を説明するための図である。
　上記のように平滑処理およびエッジ強調処理のパラメータを変更すると、原稿の画像信号のモード、シャープネス、縮拡率が変わってもモアレやボケの少ない高画質の画像を再現することができるが、これを実現するためには、第１１図（ａ）に示すような原稿の画像信号のモード、シャープネス、縮拡率の３軸からなるそれぞれの組み合わせに応じた編集画質に対し、適切なパラメータを設定しておくことが必要となる。この場合、基本的には、上記の説明から明らかなように
▲１▼　まず、混在原稿の画像信号のモード、シャープネス０、縮拡率１００％を中心点とするパラメータを決め、
▲２▼　次いで例えば混在原稿の画像信号のモード、縮拡率１００％とするシャープネス基本軸でのパラメータを決め、
▲３▼　シャープネス０、縮拡率１００％とするモード基本軸でのパラメータを決め、
▲４▼　▲２▼と▲３▼より各モードでのシャープネス用パラメータを決め、
▲５▼　混在原稿の画像信号のモード、シャープネス０とする縮拡基本軸でのパラメータを決め、
▲６▼　▲３▼と▲５▼より各モードでの縮拡用パラメータを決め、
▲７▼　そして基本軸から外れた残りのパラメータを決める。
　以上により第１１図（ｂ）に示すような編集画質空間のパラメータが決まる。したがって、例えばモードが混在原稿の画像信号のモードであれば、混在原稿の画像信号のモードを切り口とするシャープネス基本軸と縮拡基本軸からなる平面でシャープネスと縮拡率に応じたパラメータが選択され、写真原稿の画像信号のモードであれば図示空間の上面でシャープネスと縮拡率に応じたパラメータが選択される。つまり、モードでは４つの切り口平面をもつことになる。このようにすることによってモード、シャープネス、縮拡率に応じたパラメータの選択、変更を行うことができる。
（ＩＩ）パラメータ設定処理
　第１２図はＩＰＳ（イメージ処理システム）のＬＵＴ設定方法を説明するための図である。
　次に、上記の各フィルタや変換テーブルをＬＵＴで構成し、そこに各パラメータを設定する方法、すなわち平滑用フィルタの係数テーブル（ＭＥ−ＬＵＴ）、エッジ検出用フィルタの係数テーブル（ＵＳＭ−ＬＵＴ）へのフィルタ重み係数の設定方法、および平滑用変換テーブル（ＭＥ−ＭＯＤＵ−ＬＵＴ）、エッジ強調用変換テーブル（ＵＳＭ−ＭＯＤＵ−ＬＵＴ）への折線近似出力の設定方法について説明する。
　ＣＰＵでは、第１２図に示すようにシャープネスセレクションテーブル２１、ＭＥ−ＬＵＴ−ｎ係数テーブル２２、ＭＥ−ＭＯＤＵ−ＬＵＴ−ｎ折れ線近似テーブル２３、ＵＳＭ−ＬＵＴ−ｎ係数テーブル２４、ＵＳＭ−ＭＯＤＵ−ＬＵＴ−ｎ折れ線近似テーブル２５をＲＯＭに持つ。そして、倍率、シャープネス調整値、シャープネスモード（写真、文字、印刷、混在）、現像色からなる４つのパラメータからシッャープネス係数選択のための座標（ｘ，ｙ，ｚ，ｃ）を得て、シャープネスセレクションテーブル２１より各テーブルの検索値を知るようにしている。したがって、例えばデジタルフィルターの係数を選択する４つのパラメータを下表のように設定すると、
倍率が１００％でｘ＝３、シャープネス調整値が３でｙ＝３、シャープネスモードが写真でｚ＝３、現像色がｍでｃ＝１の場合には、
　（ｘ，ｙ，ｚ，ｃ）
であり、これを座標表現にすると（３，３，３，１）となり、ビット表現では「００１１、０１１、１１、０１」、十進表現では「４４５」となる。これをシャープネスセレクションテーブル２１のアドレスとし、このアドレスのシャープネスセレクションテーブル２１に書き込まれた各テーブルの検索番号でテーブルの中の係数を選択し、ＩＰＳのＬＵＴに書き込み処理を行う。
　次にＩＰＳのＬＵＴへの具体的な書き込み処理を説明する。
　第１３図は各ＬＵＴの設定内容を示す図である。同図（ａ）に示すように７×７の２次元フィルタとした場合、係数Ａ〜ＰをＭＥ−ＬＵＴ−ｎ係数テーブル、ＵＳＭ−ＬＵＴ−ｎ係数テーブルに持ち、同図（ｂ）に示すようにパケット形式にてＩＰＳに転送し、平滑用フィルタの係数テーブル（ＭＥ−ＬＵＴ）、エッジ検出用フィルタの係数テーブル（ＵＳＭ−ＬＵＴ）を設定する。
　ＭＥ−ＭＯＤＵ−ＬＵＴ−ｎ折れ線近似テーブルは、図（ｃ）に示すように平滑用変換テーブルＭＥ−ＭＯＤＵ−ＬＵＴの内容を近似するための折れ線座標点を同図（ｄ）に示すデータ構造で格納している。この折れ線は、（ｃ，０）、（ｄ，ｄ）、（ａ，ａ）、（ｂ，０）の点を直線で接続したものとなり、ＣＰＵによりこの座標点を展開した値がＩＰＳの平滑用変換テーブルＭＥ−ＭＯＤＵ−ＬＵＴに設定される。なお、〔ｃ，ｂ〕の外側は０である。
　ＵＳＭ−ＭＯＤＵ−ＬＵＴ−ｎ折れ線近似テーブルは、同図（ｅ）に示すようにエッジ強調用変換テーブルＵＳＭ−ＭＯＤＵ−ＬＵＴの内容を近似するための折れ線座標点を持ち、同図（ｆ）に示すデータ構造で格納している。この折れ線は、（ａｘ，０）、（ｂｘ，ｂｙ）、（Ｃｘ，Ｃｙ）、（ｄｘ，ｄｙ）、（ｅｘ，ｅｙ）（ｆｘ，０）の点を直線で接続したものとなり、ＣＰＵによりこの座標点をこれを展開した値がＩＰＳのエッジ強調用変換テーブルＵＳＭ−ＭＯＤＵ−ＬＵＴに設定される。なお、〔ｄ，ｃ〕の外側は、それぞれｂ−ｃ、ｅ−ｄを結ぶ直線の延長である。
　第１４図はテーブルの設定タイミングを示す図である。
　上記平滑用フィルタの係数テーブル（ＭＥ−ＬＵＴ）、エッジ検出用フィルタの係数テーブル（ＵＳＭ−ＬＵＴ）、平滑用変換テーブル（ＭＥ−ＭＯＤＵ−ＬＵＴ）、エッジ強調用変換テーブル（ＵＳＭ−ＭＯＤＵ−ＬＵＴ）をＣＰＵから設定するタイミングは、第１４図に示すように原稿を読み取るＩＩＴ（イメージ入力ターミナル）のキャリッジリターン中に次の現像色（プロセスカラー）用の値が計算され設定される。
（ＩＩＩ）イメージ処理システム（ＩＰＳ）
（ＩＩＩ−１）ＩＰＳモジュール構成
　次に本発明に係る画像処理装置の画質制御方式が適用されるシステムの例を説明する。
　第１５図はＩＰＳのモジュール構成の概要を示す図である。
　カラー画像処理装置では、ＩＩＴ（イメージ入力ターミナル）においてＣＣＤラインセンサーを用いて光の原色Ｂ（青）、Ｇ（緑）、Ｒ（赤）に分解してカラー原稿を読み取ってこれをトナーの原色Ｙ（イエロー）、Ｍ（マゼンタ）、Ｃ（シアン）、さらにはＫ（黒又は墨）に変換し、ＩＯＴ（イメージ出力ターミナル）においてレーザビームによる露光、現像を行いカラー画像を再現している。この場合、Ｙ、Ｍ、Ｃ、Ｋのそれぞれのトナー像に分解してＹをプロセスカラーとするコピープロセス（ピッチ）を１回、同様にＭ、Ｃ、Ｋについてもそれぞれをプロセスカラーとするコピーサイクルを１同ずつ、計４回のコピーサイクルを実行し、これらの網点による像を重畳することによってフルカラーによる像を再現している。したがって、カラー分解信号（Ｂ、Ｇ、Ｒ信号）をトナー信号（Ｙ、Ｍ、Ｃ、Ｋ信号）に変換する場合においては、その色のバランスをどう調整するかやＩＩＴの読み取り特性およびＩＯＴの出力特性に合わせてその色をどう再現するか、濃度やコントラストのバランスをどう調整するか、エッジの強調やボケ、モアレをどう調整するか等が問題になる。
　ＩＰＳは、ＩＩＴからＢ、Ｇ、Ｒのカラー分解信号を入力し、色の再現性、階調の再現性、精細度の再現性等を高めるために種々のデータ処理を施して現像プロセスカラーのトナー信号をオン／オフに変換しＩＯＴに出力するものであり、第１５図に示すようにＥＮＤ変換（Ｅｑｕｉｖａｌｅｎｔ　Ｎｅｕｔｒａｌ　Ｄｅｎｓｉｔｙ；等価中性濃度変換）モジュール３０１、カラーマスキングモジュール３０２、原稿サイズ検出モジュール３０３、カラー変換モジュール３０４、ＵＣＲ（Ｕｎｄｅｒ　Ｃｏｌｏｒ　Ｒｅｍｏｖａｌ；下色除去）＆黒生成モジュール３０５、空間フィルター３０６、ＴＲＣ（Ｔｏｎｅ　Ｒｅｐｒｏｄｕｃｔｉｏｎ　Ｃｏｎｔｒｏｌ；色調補正制御）モジュール３０７、縮拡処理モジュール３０８、スクリーンジェネレータ３０９、ＩＯＴインターフェースモジュール３１０、領域生成回路やスイッチマトリクスを有する領域画像制御モジュール３１１、エリアコマンドメモリ３１２やカラーパレットビデオスイッチ回路３１３やフオントバッファ３１４等を有する編集制御モジュール等からなる。
　そして、ＩＩＴからＢ、Ｇ、Ｒのカラー分解信号について、それぞれ８ビットデータ（２５６階調）をＥＮＤ変換モジュール３０１に入力し、Ｙ、Ｍ、Ｃ、Ｋのトナー信号に変換した後、プロセスカラーのトナー信号Ｘをセレクトし、これを２値化してプロセスカラーのトナー信号のオン／オフデータとしＩＯＴインターフェースモジュール３１０からＩＯＴに出力している。したがって、フルカラー（４カラー）の場合には、プリスキャンでまず原稿サイズ検出、編集領域の検出、その他の原稿情報を検出した後、例えばまず初めにプロセスカラーのトナー信号ＸをＹとするコピーサイクル、続いてプロセスカラーのトナー信号ＸをＭとするコピーサイクルを項次実行する毎に、４回の原稿読み取りスキャンに対応した信号処理を行っている。
　ＩＩＴでは、ＣＣＤセンサーを使いＢ、Ｇ、Ｒのそれぞれについて、１ピクセルを１６ドット／ｍｍのサイズで読み取り、そのデータを２４ビッド（３色×８ビット；２５６階調）で出力している。ＣＣＤセンサーは、上面にＢ、Ｇ、Ｒのフィルターが装着されていて１６ドット／ｍｍの密度で３００ｍｍの長さを有し、１９０．５ｍｍ／ｓｅｃのプロセススピードで１６ライン／ｍｍのスキャンを行うので、ほぼ各色につき毎秒１５Ｍピクセルの速度で読み取りデータを出力している。そして、ＩＩＴではＢ、Ｇ、Ｒの画素のアナログデータをログ変換することによって、反射率の情報から濃度の情報に変換し、さらにデジタルデータに変換している。
　　次に各モジュールについて説明する。
　第１６図はＩＰＳを構成する各モジュールを説明するための図である。
（Ａ）ＥＮＤ変換モジュール
　ＥＮＤ変換モジュール３０１は、ＩＩＴで得られたカラー原稿の光学読み取り信号をグレーバランスしたカラー信号に調整（変換）するためのモジュールである。カラー画像のトナーは、グレーの場合に等量になりグレーが基準となる。しかし、ＩＩＴからグレーの原稿を読み取ったときに入力するＢ、Ｇ、Ｒのカラー分解信号の値は光源や色分解フィルターの分光特生等が理想的でないため等しくなっていない。そこで、第１６図（ａ）に示すような変換テーブル（ＬＵＴ；ルックアップテーブル）を用いてそのバランスをとるのがＥＮＤ変換である。したがって、変換テーブルは、グレイ原稿を読み取った場合にそのレベル（黒→白）に対応して常に等しい階調でＢ、Ｇ、Ｒのカラー分解信号に変換して出力する特性を有するものであり、ＩＩＴの特性に依存する。また、変換テーブルは、１６面用意され、そのうち１１面がネガフィルムを含むフィルムフプロジェクター用のテーブルであり、３面が通常のコピー用、写真用、ジェネレーションコピー用のテーブルである。
（Ｂ）カラーマスキングモジュール
　カラーマスキングモジュール３０２は、Ｂ、Ｇ、Ｒ信号をマトリクス演算することによりＹ、Ｍ、Ｃのトナー量に対応する信号に変換するのものであり、ＥＮＤ変換によりグレーバランス調整を行った後の信号を処理している。
　カラーマスキングに用いる変換マトリクスには、純粋にＢ、Ｇ、ＲからそれぞれＹ、Ｍ、Ｃを演算する３×３のマトリクスを用いているが、Ｂ、Ｇ、Ｒだけでなく、ＢＧ、ＧＲ、ＲＢ、Ｂ２、Ｇ２、Ｒ２の成分も加味するため種々のマトリクスを用いたり、他のマトリクスを用いてもよいことは勿論である。変換マトリクスとしては、通常のカラー調整用とモノカラーモードにおける強度信号生成用の２セットを保有している。
　このように、ＩＩＴのビデオ信号についてＩＰＳで処理するに際して、何よりもまずグレーバランス調整を行っている。これを仮にカラーマスキングの後に行うとすると、カラーマスキングの特性を考慮したグレー原稿によるグレーバランス調整を行わなければならないため、その変換テーブルがより複雑になる。
（Ｃ）原稿サイズ検出モジュール
　定型サイズの原稿は勿論のこと切り張りその他任意の形状の原稿をコピーする場合もある。この場合に、原稿サイズに対応した適切なサイズの用紙を選択するためには、原稿サイズを検出する必要がある。また、原稿サイズよりコピー用紙が大きい場合に、原稿の外側を消すとコピーの出来映えをよいものとすることができる。そのため、原稿サイズ検出モジュール３０３は、プリスキャン時の原稿サイズ検出と原稿読み取りスキャン時のプラテンカラーの消去（枠消し）処理とを行うものである。そのために、プラテンカラーは原稿との識別が容易な色例えば黒にし、第１６図（ｂ）に示すようにプラテンカラー識別の上限値／下限値をスレッショルドレジスタ３０３１にセットする。そして、プリスキャン時は、原稿の反射率に近い情報に変換（γ変換）した信号（後述の空間フィルター３０６の出力を用いる）Ｘとスレッショルドレジスタ３０３１にセットされた上限値／下限値とをコンパレータ３０３２で比較し、エッジ検出回路３０３４で原稿のエッジを検出して座標ｘ，ｙの最大値と最小値とを最大／最小ソータ３０３５に記憶する。
　例えば第１６図（ｄ）に示すように原稿が傾いている場合や矩形でない場合には、上下左右の最大値と最小値（ｘ１，ｘ２、ｙ１，ｙ２）が検出、記憶される。また、原稿読み取りスキャン時は、コンパレータ３０３３で原稿のＹ、Ｍ、Ｃとスレッショルドレジスタ３０３１にセットされた上限値／下限値とを比較し、プラテンカラー消去回路３０３６でエッジの外側、即ちプラテンの読み取り信号を消去して枠消し処理を行う。
（Ｄ）カラー変換モジュール
　カラー変換モジュール３０４は、特定の領域において指定されたカラーを変換できるようにするものであり、第１６図（ｃ）に示すようにウィンドコンパレータ３０４２、スレッショルドレジネタ３０４１、カラーパレット３０４３等を備え、カラー変換する場合に、被変換カラーの各Ｙ、Ｍ、Ｃの上限値／下限値をスレッショルドレジスタ３０４１にセットすると共に変換カラーの各Ｙ、Ｍ、Ｃの値をカラーパレット３０４３にセットする。そして、領域画像制御モジュールから入力されるエリア信号にしたがっでナンドゲート３０４４を制御し、カラー変換エリアでない場合には原稿のＹ、Ｍ、Ｃをそのままセレクタ３０４５から送出し、カラー変換エリアに入ると、原稿のＹ、Ｍ、Ｃ信号がスレッショルドレジスタ３０４１にセットされたＹ、Ｍ、Ｃの上限値と下限値の間に入るとウィンドコンパレータ３０４２の出力でセレクタ３０４５を切り換えてカラーパレット３０４３にセットされた変換カラーのＹ、Ｍ、Ｃを送出する。
　指定色は、ディジタイザで直接原稿をポイントすることにより、プリスキャン時に指定された座標の周辺のＢ、Ｇ、Ｒ各２５画素の平均をとって指定色を認識する。この平均操作により、例えば１５０線原稿でも色差５以内の精度で認識可能となる。Ｂ、Ｇ、Ｒ濃度データの読み取りは、ＩＩＴシェーディング補正ＲＡＭより指定座標をアドレスに変換して読み出し、アドレス変換に際しては、原稿サイズ検知と同様にレジストレーション調整分の再調整が必要である。プリスキャンでは、ＩＩＴはサンプルスキャンモードで動作する。シェーディング補正ＲＡＭより読み出されたＢ、Ｇ、Ｒ濃度データは、ソフトウエアによりシェーディング補正された後、平均化され、さらにＥＮＤ補正、カラーマスキングを実行してからウインドコンパレータ３０４２にセットされる。
　登録色は、１６７０万色中より同時に８色までカラーパレット３０４３に登録を可能にし、標準色は、Ｙ、Ｍ、Ｃ、Ｇ、Ｂ、Ｒおよびこれらの中間色とＫ、Ｗの１４色を用意している。
（Ｅ）ＵＣＲ＆黒生成モジュール
　Ｙ、Ｍ、Ｃが等量である場合にはグレーになるので、理論的には、等量のＹ、Ｍ、Ｃを黒に置き換えることによって同じ色を再現できるが、現実的には、黒に置き換えると色に濁りが生じ鮮やかな色の再現牲が悪くなる。そこで、ＵＣＲ＆黒生成モジュール３０５では、このような色の濁りが生じないように適量のＫを生成し、その量に応じてＹ、Ｍ、Ｃを等量減ずる（下色除去）処理を行う。具体的には、Ｙ、Ｍ、Ｃの最大値と最小値とを検出し、その差に応じて変換テーブルより最小値以下でＫを生成し、その量に応じＹ、Ｍ、Ｃについて一定の下色除去を行っている。
　ＵＣＲ＆黒生成では、第１６図（ｅ）に示すように例えばグレイに近い色になると最大値と最小値との差が小さくなるので、Ｙ、Ｍ、Ｃの最小値相当をそのまま除去してＫを生成するが、最大値と最小値との差が大きい場合には、除去の量をＹ、Ｍ、Ｃの最小値よりも少なくし、Ｋの生成量も少なくすることによって、墨の混入および低明度高彩度色の彩度低下を防いでいる。
　具体的な回路構成例を示した第１６図（ｆ）では、最大値／最小値検出回路３０５１によりＹ、Ｍ、Ｃの最大値と最小値とを検出し、演算回路３０５３によりその差を演算し、変換テーブル３０５４と演算回路３０５５によりＫを生成する。変換テーブル３０５４がＫの値を調整するものであり、最大値と最小値の差が小きい場合には、変換テーブル３０５４の出力値が零になるので演算回路３０５５から最小値をそのままＫの値として出力するが、最大値と最小値の差が大きい場合には、変換テーブル３０５４の出力値が零でなくなるので演算回路３０５５で最小値からその分減算された値をＫの値として出力する。変換テーブル３０５６がＫに対応してＹ、Ｍ、Ｃから除去する値を求めるテーブルであり、この変換テーブル３０５６を通して演算回路３０５９でＹ、Ｍ、ＣからＫに対応する除去を行う。また、アンドゲート３０５７、３０５８はモノカラーモード、４フルカラーモードの各信号にしたがってＫ信号およびＹ、Ｍ、Ｃの下色除去した後の信号をゲートするものであり、セレクタ３０５２、３０５０は、プロセスカラー信号によりＹ、Ｍ、Ｃ、Ｋのいずれかを選択するものである。このように実際には、Ｙ・Ｍ、Ｃの網点で色を再現しているので、Ｙ、Ｍ、Ｃの除去やＫの生成比率は、経験的に生成したカーブやテーブル等を用いて設定されている。
（Ｆ）空間フィルターモジュール
　本発明に適用される装置では、先に述べたようにＩＩＴでＣＣＤをスキャンしながら原稿を読み取るので、そのままの情報を使うとボケた情報になり、また、網点により原稿を再現しているので、印刷物の網点周期と１６ドット／ｍｍのサンプリング周期との間でモアレが生じる。また、自ら生成する網点周期と原稿の網点周期との間でもモアレが生じる。空間フィルターモジュール３０６は、このようなボケを回復する機能とモアレを除去する機能を備えたものである。そして、モアレ除去には網点成分をカットするためローパスフィルタが用いられ、エッジ強調にはバンドパスフィルタが用いられている。
　空間フィルターモジュール３０６では、第１６図（ｇ）に示すようにＹ、Ｍ、Ｃ、ＭｉｎおよびＭａｘ−Ｍｉｎの入力信号の１色をセレクタ３００３で取り出し、変換テーブル３００４を用いて反射率に近い情報に変換する。この情報の方がエッジを拾いやすいからであり、その１色としては例えばＹをセレクトしている。またスレッショルドレジスタ３００１、４ビットの２値化回路３００２、デコーダ３００５を用いて画素毎に、Ｙ、Ｍ、Ｃ、ＭｉｎおよびＭａｘ−ＭｉｎからＹ、Ｍ、Ｃ、Ｋ、Ｂ、Ｇ、Ｒ、Ｗ（白）の８つに色相分離する。デコーダ３００５は、２値化情報に応じて色相を認識してプロセスカラーから必要色か否かを１ビットの情報で出力するものである。
　第１６図（９）の出力は、第１６図（ｈ）の回路に入力される。ここでは、ＦＩＦＯ３０６１と５×７デジタルフィルタ３０６３、平滑用変換テーブル３０６６により網点除去の情報を生成し、ＦＩＦＯ３０６２と５×７デジタルフィルタ３０６４、エッジ強調用変換テーブル３０６７、デイレイ回路３０６５により同図（ｇ）の出力情報からエッジ強調情報を生成する。５×７デジタルフィルタ３０６３が先に説明した本発明の平滑用フィルタとして用いられ、５×７デジタルフィルタ３０６４がエッジ強調用フィルタとして用いられる。したがって、５×７デジタルフィルタ３０６３、３０６４、変換テーブル３０６６、３０６７のパラメータが原稿の画像信号のモードやシャープネス、縮拡率に応じて変更される。エッジ強調では、例えば第１６図（ｉ）▲１▼のような緑の文字を▲２▼のように再現しようとする場合、Ｙ、Ｃを▲３▼、▲４▼のように強調処理し、Ｍは▲５▼実線のように強調処理しない。このスイッチングをアンドゲート３０６８で行っている。この処理を行うには、▲５▼の点線のように強調すると、▲６▼のようにエッジにＭの混色による濁りが生じる。デイレイ回路３０６５は、このような強調をプロセスカラー毎にアンドゲート３０６８でスイッチングするためにＦＩＦＯ３０６２と５×７デジタルフィルタ３０６４との同期を図るものである。鮮やかな緑の文字を通常の処理で再生すると、緑の文字にマゼンタが混じり濁りが生じる。そこで、上記のようにして緑と認識するとＹ、Ｃは通常通り出力するが、Ｍは抑えエッジ強調をしないようにする。
（Ｇ）ＴＲＣ変換モジュール
　ＩＯＴは、ＩＰＳからりオン／オフ信号にしたがってＹ、Ｍ、Ｃ、Ｋの各プロセスカラーにより４回のコピーサイクル（１フルカラーコピーの場合）を実行し、フルカラー原稿の再生を可能にしているが、実際には、信号処理により理論的に求めたカラーを忠実に再生するには、ＩＯＴの特性を考慮した微妙な調整が必要である。ＴＲＣ変換モジュール３０７は、このような再現性の向上を図るためのものであり、Ｙ、Ｍ、Ｃの濃度の各組み合わせにより、第１６図（ｊ）に示すように８ビット画像データをアドレス入力とするアドレス変換テーブルをＲＡＭに持ち、エリア信号に従った濃度調整、コントラスト調整、ネガポジ反転、カラーバランス調整、文字モード、すかし合成等の編集機能を持っている。このＲＡＭアドレス上位３ビットにはエリア信号のビット０〜ビット３が使用される。また、領域外モードにより上記機能を組み合わせて使用することもできる。なお、このＲＡＭは、例えば２ｋバイト（２５６バイト×８面）で構成して８面の変換テーブルを保有し、Ｙ、Ｍ、Ｃの各サイクル毎にＩＩＴキャリッジリターン中に最高８面分ストアされ、領域指定やコピーモードに応じてセレクトされる。勿論、ＲＡＭ容量を増やせば各サイクル毎にロードする必要はない。
（Ｈ）縮拡処理モジュール
　縮拡処理モジュール３０８は、第１６図（ｋ）に示すようにラインバッファ３０８３にデータＸを一旦保持して送出する過程において縮拡処理回路３０８２を通して縮拡処理するものであり、リサンプリングジェネレータ＆アドレスコントローラ３０８１でサンプリングピッチ信号とラインバッファ３０８３のリード／ライトアドレスを生成する。ラインバッファ３０８３は、２ライン分からなるピンポンバッファとすることにより一方の読み出しと同時に他方に次のラインデータを書き込めるようにしている。縮拡処理では、主走査方向にはこの縮拡処理モジュール３０８でデジタル的に処理しているが、副走査方向にはＩＩＴのスキャンのスピードを変えている。スキャンスピードは、２倍速から１／４倍速まで変化させることとより５０％から４００％まで縮拡できる。デジタル処理では、ラインバッファ３０８３にデータを読み／書きする際に間引き補間することによって縮小し、付加補間することによって拡大することができる。補間データは、中間にある場合には同図（ｌ）に示すように両側のデータとの距離に応じた重み付け処理して生成される。例えばデータＸｉ’の場合には、両側のデータＸｉ、Ｘｉ＋１およびこれらのデータとサンプリングポイントとの距離ｄ１、ｄ２から、
　　（Ｘｉ×ｄ２）＋（Ｘｉ＋１×ｄ１）
　　　　　　　　　ただし、ｄ１＋ｄ２＝１
の演算をして求められる。
　縮小処理の場合には、データの補間をしながらラインバッファ３０８３に書き込み、同時に前のラインの縮小処理したデータをバッファから読み出して送出する。拡大処理の場合には、一旦そのまま書き込み、同時に前のラインのデータを読み出しながら補間拡大して送出する。書き込み時に補間拡大すると拡大率に応じて書き込み時のクロックを上げなければならなくなるが、上記のようにすると同じクロックで書き込み／読み出しができる。また、この構成を使用し、途中から読み出したり、タイミングを遅らせて読み出したりすることによって主走査方向のシフトイメージ処理することができ、繰り返し読み出すことによって繰り返し処理することができ、反対の方から読み出すことによって鏡像処理することもできる。
（Ｉ）スクリーンジェネレータ
　スクリーンジェネレータ３０９は、プロセスカラーの階調トナー信号をオン／オフの２値化トナー信号に変換し出力するものであり、閾値マトリクスと階調表現されたデータ値との比較による２値化処理とエラー拡散処理を行っている。ＩＯＴでは、この２値化トナー信号を入力し、１６ドット／ｍｍに対応するようにほぼ縦８０μｍφ、幅６０μｍφの楕円形状のレーザビームをオン／オフして中間調の画像を再現している。
　まず、階調の表現方法について説明する。第１６図（ｎ）に示すように例えば４×４のハーフトーンセルｓを構成する場合について説明する。まず、スクリーンジェネレータでは、このようなハーフトーンセルＳに対応して閾値マトリクスｍが設定され、これと階調表現されたデータ値とが比較される。そして、この比較処理では、例えばデータ値が「５」であるとすると、閾値マトリクスｍの「５」以下の部分でレーザビームをオンとする信号を生成する。
　１６ドット／ｍｍで４×４のハーフトーンセルを一般に１００ｓｐｉ、１６階調の網点というが、これでは画像が粗くカラー画像の再現性が悪いものとなる。そこで、本発明では、階調を上げる方法として、この１６ドット／ｍｍの画素を縦（主走査方向）に４分割し、画素単位でのレーザビームのオン／オフ周準数を同図（ｏ）に示すように１／４の単位、すなわち４倍に上げるようにすることによって４倍高い階調を実現している。したがって、これに対応して同図（ｏ）に示すような閾値マトリクスｍ’を設定している。さらに、線数を上げるためにサブマトリクス法を採用するのも有効である。
　上記の例は、各ハーフトーンセルの中央付近を唯一の成長核とする同じ閾値マトリクスｍを用いたが、サブマトリクス法は、複数の単位マトリクスの集合により構成し、同図（Ｐ）に示すようにマトリクスの成長核を２ヵ所或いはそれ以上（複数）にするものである。このようなスクリーンのパターン設計手法を採用すると、例えば明るいところは１４１ｓｐｉ、６４階調にし、暗くなるにしたがって２００ｓｐｉ、１２８階調にすることによって暗いところ、明るいところに応じて自由に線数と階調を変えることができる。このようなパターンは、階調の滑らかさや細線性、粒状性等を目視によって判定することによって設計することができる。
　中間調画像を上記のようなドットマトリクスによって再現する場合、階調数と解像度とは相反する関係となる。すなわち、階調数を上げると解像度が悪くなり、解像度を上げると階調数が低くなるという関係がある。また、閾値データのマトリクスを小さくすると、実際に出力する画像に量子化誤差が生じる。エラー拡散処理は、同図（ｑ）に示すようにスクリーンジェネレータ３０９２で生成されたオン／オフの２値化信号と入力の階調信号との量子化誤差を濃度変換回路３０９３、減算回路３０９４により検出し、補正回路３０９５、加算回路３０９１を使ってフィードバックしてマクロ的にみたときの階調の再現性を良くするものであり、例えば前のラインの対応する位置とその両側の画素をデジタルフィルタを通してたたみこむエラー拡散処理を行っている。
　スクリーンジェネレータでは、上記のように中間調画像や文字画像等の画像の種類によって原稿或いは領域毎に閾値データやエラー拡散処理のフィードバック係数を切り換え、高階調、高精細画像の再現性を高めている。
（Ｊ）領域画像制御モジュール
　領域画像制御モジュール３１１では、７つの矩形領域およびその優先順位が領域生成回路に設定可能な構成であり、それぞれの領域に対応してスイッチマトリクスに領域の制御情報が設定される。制御情報としては、カラー変換やモノカラーかフルカラーか等のカラーモード、写真や文字等のモジュレーションセレクト情報、ＴＲＣのセレクト情報、スクリーンジェネレータのセレクト情報等があり、カラーマスキングモジュール３０２、カラー変換モジュール３０４、ＵＣＲモジュール３０５、空間フィルター３０６、ＴＲＣモジュール３０７の制御に用いられる。なお、スイッチマトリクスは、ソフトウェアにより設定可能になっている。
（Ｋ）編集制御モジュール
　編集制御モジュールは、矩形でなく例えば円グラフ等の原稿を読み取り、形状の限定されない指定領域を指定の色で塗りつぶすようなぬりえ処理を可能にするものであり、同図（ｍ）に示すようにＣＰＵのバスにＡＧＤＣ（Ａｄｖａｎｃｅｄ　Ｇｒａｐｈｉｃ　Ｄｉｇｉｔａｌ　Ｃｏｎｔｒｏｌｌｅｒ）３１２１、フォントバッファ３１２６、ロゴＲＯＭ３１２８、ＤＭＡＣ（ＤＭＡ−Ｃｏｎｔｒｏｌｌａｒ）３１２９が接続されている。そしで、ＣＰＵからエンコードされた４ビットのエリアコマンドがＡＧＤＣ３１２１を通してプレーンメモリ３１２２に書き込まれ、フォントバッファ３１２６にフォントが書き込まれる。プレーンメモリ３１２２は、４枚で構成し、例えば「００００」の場合にはコマンド０であってオリジナルの原稿を出力するというように、原稿の各点をプレーン０〜プレーン３の４ビットで設定できる。この４ビット情報をコマンド０〜コマンド１５にデコードするのがデコーダ３１２３であり、コマンド０〜コマンド１５をフィルパターン、フィルロジック、ロゴのいずれの処理を行うコマンドにするかを設定するのがスイッチマトリクス３１２４である。フォントアドレスコントローラ３１２５は、２ビットのフィルパターン信号により網点シェード、ハッチングシェード等のパターンに対応してフォントバッファ３１２６のアドレスを生成するものである。
　スイッチ回路３１２７は、スイッチマトリクス３１２４のフィルロジック信号、原稿データＸの内容により、原稿データＸ、フォントバッファ３１２６、カラーパレットの選定等を行うものである。フィルロジックは、バックグラウンド（原稿の背景部）だけをカラーメッシュで塗りつぶしたり、特定部分をカラー変換したり、マスキングやトリミング、塗りつぶし等を行う情報である。
　本発明のＩＰＳでは、以上のようにＩＩＴの原稿読み取り信号について、まずＥＮＤ変換した後カラーマスキングし、フルカラーデータでの処理の方が効率的な原稿サイズや枠消し、カラー変換の処理を行ってから下色除去および墨の生成をして、プロセスカラーに絞っている。しかし、空間フィルターやカラー変調、ＴＲＣ、縮拡等の処理は、プロセスカラーのデータを処理することによって、フルカラーのデータで処理する場合より処理量を少なくし、使用する変換テーブルの数を１／３にすると共に、その分、種類を多くして調整の柔軟性、色の再現性、階調の再現性、精細度の再現性を高めている。
（ＩＩＩ−２）ＩＰＳのハードウェア構成
　第１７図はＩＰＳのハードウェア構成例を示す図である。
　本発明のＩＰＳでは、２枚の基板（ＩＰＳ−Ａ、ＩＰＳ−Ｂ）に分割し、色の再現性や階調の再現性、精細度の再現性等のカラー画像形成装置としての基本的な機能を達成する部分について第１の基板（ＩＰＳ−Ａ）に、編集のように応用、専門機能を達成する部分を第２の基板（ＩＰＳ−Ｂ）に搭載している。前者の構成が第１７図（ａ）〜（ｃ）であり、後者の構成が同図（ｄ）である。特に第１の基板により基本的な機能が充分達成できれば、第２の基板を設計変更するだけで応用、専門機能について柔軟に対応できる。したがって、カラー画像形成装置として、さらに機能を高めようとする場合には、他方の基板の設計変更をするだけで対応できる。
　ＩＰＳの基板には、第１７図に示すようにＣＰＵのバス（アドレスバスＡＤＲＳＢＵＳ、データバスＤＡＴＡＢＵＳ、コントロールバスＣＴＲＬＢＵＳ）が接続され、ＩＩＴのビデオデータＢ、Ｇ、Ｒ、同期信号としてビデオクロックＩＩＴ・ＶＣＬＫ、ライン同期（主走査方向、水平同期）信号ＩＩＴ・ＬＳ、ページ同期（副走査方向、垂直同期）信号ＩＩＴ・ＰＳが接続される。
　ビデオデータは、ＥＮＤ変換部以降においてパイプライン処理されるため、それぞれの処理段階において処理に必要なクロック単位でデータの遅れが生じる。そこで、このような各処理の遅れに対応して水平同期信号を生成して分配し、また、ビデオクロックとライン同期信号のフェイルチェックするのが、ライン同期発生＆フェイルチェック回路３２８である。そのため、ライン同期発生＆フェイルチェック回路３２８には、ビデオクロックＩＩＴ・ＶＣＬＫとライン同期信号ＩＩＴ・ＬＳが接続され、また、内部設定書き換えを行えるようにＣＰＵのバス（ＡＤＲＳＢＵＳ、ＤＡＴＡＢＵＳ、ＣＴＲＬＢＵＳ）、チップセレクト信号ＣＳが接続される。
　ＩＩＴのビデオデータＢ、Ｇ、ＲはＥＮＤ変換部のＲＯＭ３２１に入力される。ＥＮＤ変換テーブルは、例えばＲＡＭを用いＣＰＵから適宜ロードするように構成してもよいが、装置が使用状態にあって画像データの処理中に書き換える必要性はほとんど生じないので、Ｂ、Ｇ、Ｒのそれぞれに２ｋバイトのＲＯＭを２個ずつ用い、ＲＯＭによるＬＵＴ（ルックアップテーブル）方式を採用している。そして、１６面の変換テーブルを保有し、４ビットの選択信号ＥＮＤｓｅｌより切り換えられる。
　ＥＮＤ変換されたＲＯＭ３２１の出力は、カラー毎に３×１マトリクスを２面保有する３個の演算ＬＳＩ３２２からなるカラーマスキング部に接続される。演算ＬＳＩ３２２には、ＣＰＵの各パスが接続され、ＣＰＵからマトリクスの係数が設定可能になっている。画像信号の処理からＣＰＵによる書き換え等のためＣＰＵのバスに切り換えるためにセットアップ信号ＳＵ、チップセレクト信号ＣＳが接続され、マトリクスの選択切り換えに１ビットの切り換え信号ＭＯＮＯが接続される。また、パワーダウン信号ＰＤを入力し、ＩＩＴがスキャンしていないときすなわち画像処理をしていないとき内部のビデオクロックを止めている。
　演算ＬＳＩ３２２によりＢ、Ｇ、ＲからＹ、Ｍ、Ｃに変換された信号は、同図（ｄ）に示す第２の基板（ＩＰＳ−Ｂ）のカラー変換ＬＳＩ３５３を通してカラー変換処理後、ＤＯＤ用ＬＳＩ３２３に入力される。カラー変換ＬＳ１３５３には、非変換カラーを設定するスレッショルドレジスタ、変換カラーを設定するカラーパレット、コンパレータ等からなるカラー変換回路を４回路保有し、ＤＯＤ用ＬＳＩ３２３には、原稿のエッジ検出回路、枠消し回路等を保有している。
　枠消し処理したＤＯＤ用ＬＳＩ３２３の出力は、ＵＣＲ用ＬＳＩ３２４に送られる。このＬＳＩは、ＵＣＲ回路と墨生成回路、さらには必要色生成回路を含み、コピーサイクルでのトナーカラーに対応するプロセスカラーＸ、必要色Ｈｕｅ、エッジＥｄｇｅの各信号を出力する。したがって、このＬＳＩには、２ビットのプロセスカラー指定信号ＣＯＬＲ、カラーモード信号（４ＣＯＬＲ、ＭＯＮＯ）も入力される。
　ラインメモリ３２５は、ＵＣＲ用ＬＳＩ３２４から出力されたプロセスカラーＸ、必要色Ｈｕｅ、エッジＥｄｇｅの各信号を５×７のデジタルフィルター３２６に入力するために４ライン分のデータを蓄積するＦＩＦＯおよびその遅れ分を整合させるためのＦＩＦＯからなる。ここで、プロセスカラーＸとエッジＥｄｇｅについては４ライン分蓄積してトータル５ライン分をデジタルフィルター３２６に送り、必要色ＨｕｅについてはＦＩＦＯで遅延させてデジタルフィルター３２６の出力と同期させ、ＭＩＸ用ＬＳＩ３２７に送るようにしている。デジタルフィルター３２６は、２×７フィルターのＬＳＩを３個で構成した５×７フィルターが２組（ローパスＬＰとバンドパスＨＰ）あり、一方で、プロセスカラーＸについての処理を行い、他方で、エッジＥｄｇｅについての処理を行っている。ＭＩＸ用ＬＳＩ３２７では、これらの出力に変換テーブルで網点除去やエッジ強調の処理を行いプロセスカラーＸにミキシングしている。ここでは、変換テーブルを切り換えるための信号としてエッジＥＤＧＥ、シャープＳｈａｒｐが入力されている。先に説明した本発明のパラメータ切り換えは、これらの切り換え信号による領域毎の切り換えおよびＣＰＵバスを通したパラメータの書き替えにより行われる。
　ＴＲＣ３４２は、８面の変換テーブルを保有する２ｋバイトのＲＡＭからなる。変換テーブルは、各スキャンの前、キャリッジのリターン期間を利用して変換テーブルの書き換えを行うように構成され、３ビットの切り換え信号ＴＲＣＳｅｌにより切り換えられる。そして、ここからの処理出力は、トランシーバーより縮拡処理用ＬＳＩ３４５に送られる。縮拡処理部は、８ｋバイトのＲＡＭ３４４を２個用いてピンポンバッファ（ラインバッファ）を構成し、ＬＳＩ３４３でリサンプリングピッチの生成、ラインバッファのアドレスを生成している。縮拡処理部の出力は、同図（ｄ）に示す第２の基板のエリアメモリ部を通ってＥＤＦ用ＬＳＩ３４６に戻る。ＥＤＦ用ＬＳＩ３４６は、前のラインの情報を保持するＦＩＦＯを有し、前のラインの情報を用いてエラー拡散処理を行っている。そして、エラー拡散処理後の信号Ｘは、スクリーンジェネレータを構成するＳＧ用ＬＳＩ３４７を経てＩＯＴインターフェースへ出力される。
　ＩＯＴインターフェースでは、１ビットのオン／オフ信号で入力されたＳＧ用ＬＳ１３４７からの信号をＬＳＩ３４９で８ビットにまとめてパラレルでＩＯＴに送出している。
　第１７図に示す第２の基板において、実際に流れているデータは、１６ドット／ｍｍであるので、縮小ＬＳＩ３５４では、１／４に縮小して且つ２値化してエリアメモリに蓄える。拡大デコードＬＳＩ３５９は、フィルパターンＲＡＭ３６０を持ち、エリアメモリから領域情報を読み出してコマンドを生成するときに１６ドット／ｍｍに拡大し、ロゴアドレスの発生、カラーパレット、フィルパターンの発生処理を行っている。ＤＲＡＭ３５６は、４面で構成しコードされた４ビットのエリア情報を格納する。ＡＧＤＣ３５５は、エリアコマンドをコントロールする専用のコントローラである。
　なお、本発明は、上記の実施例に限定されるものではなく、種々の変形が可能である。上記の実施例では、カラー画像複写機により説明したが、原稿を読み取りその画像をディザ法で再現するものであれば、通常の複写機にも同様に適用できることは勿論である。また、領域指定信号によりフィルタのパラメータを切り換えるようにしたが、例えばフィルタによるエッジ検出信号から文字領域と中間調領域との識別を行うことができるので、エッジ検出信号の後にこのような識別回路を設けて文字領域か中間調領域かを判定し、このブロック単位でパラメータの切り換えるようにしてもよい。文字領域と中間調領域では、文字領域の背景濃度が低いので、エッジ検出信号から領域を判定する場合には、例えば一定のサイズのブロックにおいて一定の閾値以上の濃度の画素でのエッジ量の平均値や、エッジ量がある閾値より大きい画素と濃度がある閾値より大きい画素との割合等を指標となる。
〔発明の効果〕
　以上の説明から明らかなように、本発明によれば、ノイズや網点成分を除去しエッジ強調を行う平滑処理およびエッジ強調処理のパラメータを画像モードやシャープネス、縮拡率に応じてボケやモアレ等が生じないように変更するので、あらゆる原稿の画像信号に対して高画質の画像を再現することができる。しかも、線形フィルタと非線形変換テーブルとを組み合わせてその中で選択的にパラメータを変更するので、効率よく画質制御を行うことができる。また、ＬＵＴで構成することによりＬＵＴのみの変更でパラメータの切り換えを行うことができる。
【図面の簡単な説明】
　第１図は本発明に係る画像処理装置の画質制御方式の１実施例を説明するための図、第２図は２つのフィルタ（いずれも非線形フィルタで構成されるもの）の概略構成を示す図、第３図は非線形平滑用フィルタの周波数特性を説明するための図、第４図はエッジ強調用フィルタを説明するための図、第５図はエッジ強調用非線形変換を説明するための図、第６図はエッジ強調用非線形変換部の変換特性を説明するための図、第７図は平滑用非線形変換部の変換特性を説明するための図、第８図はシャープネスモードにおけるパラメータの変更を説明するための図、第９図は縮拡によるパラメータの変更方法を説明するための図、第１０図はパラメータの変更カーブの例を示す図、第１１図はパラメータの自動設定法を説明するための図、第１２図はＩＰＳのＬＵＴ設定方法を説明するための図、第１３図は各ＬＵＴの設定内容を示す図、第１４図はテーブルの設定タイミングを示す図、第１５図はＩＰＳのモジュール構成概要を示す図、第１６図はＩＰＳを構成する各モジュールを説明するための図、第１７図はＩＰＳのハードウェア構成例を示す図である。
　１…平滑用フィルタ、２…エッジ強調用フィルタ、３…平滑用変換テーブル、４…エッジ強調用変換テーブル、５…合成回路。
【図面】